(57)【特許請求の範囲】
【請求項１】
ゲームの進行に伴って払い出される賞球を上球皿へ誘導する賞球通路と、上球皿の満杯時に前記賞球通路から溢れる溢れ球を下球皿へ誘導する溢れ球通路と、前記賞球通路と前記溢れ球通路との分岐点に配設される球受け部材を備えた弾球遊技機において、
前記球受け部材は、前記賞球を前記上球皿に案内する一方、前記上球皿の満杯時に前記賞球通路に積み上げられる賞球を乗り越えさせ、前記溢れ球として前記溢れ球通路側に案内する壁部と、前記壁部の上端より下方に配置されるとともに下勾配となる傾斜面をなし、前記壁部を乗り越えて落下する溢れ球を前記傾斜面に沿って転動させて前記溢れ球通路へ流入させるように案内する溢れ球案内部とを有し、
前記溢れ球通路において、前記溢れ球案内部と対向する面には、前記溢れ球案内部の傾斜面を転動して前記溢れ球通路内に放出される溢れ球が接触可能に、導電性を有する導電部材が配設されている弾球遊技機。
【請求項２】
前記球受け部材は、導電性を有する請求項１に記載の弾球遊技機。
【請求項３】
前記溢れ球通路の下流側には、前記下球皿に向かって屈曲する筒状部が設けられており、当該筒状部は、導電性を有する請求項１又は請求項２に記載の弾球遊技機。
【請求項４】
ゲームの制御に係わる各種制御装置が設置される機構セット盤を機裏側に備え、
前記溢れ球案内部は、前方に向かって下勾配となる傾斜面をなし、前記導電部材は、前記溢れ球通路の前面側に配設されており、
前記溢れ球通路は、前記機構セット盤の所定の前後方向幅内に形成されると共に、溢れ球通路の主要部分をなす後面を機構セット盤における前記各種制御装置の取付面に対し、前記溢れ球案内部の前後方向の長さに対応する距離だけ前方へ離間させ、前記取付面と前記後面との間に空間を形成した請求項１から請求項３のいずれか一項に記載の弾球遊技機。
【発明の詳細な説明】
【０００１】
【発明の属する技術分野】
本発明は、例えば、大当たり時に払い出された賞球を上球皿や下球皿に案内する通路を備えた各種弾球遊技機に関するものである。
【０００２】
【従来の技術】
従来、この種の弾球遊技機としては、例えば特開平９−１０４０８号公報に示すアレンジボール機が知られている。
【０００３】
このアレンジボール機（以下、遊技機という。）においては、機裏側に装着された機構セット盤に、球払い出し装置から払い出された賞球としての遊技球を上球皿に案内する賞球通路及び上球皿に遊技球が満杯状態のときに前記遊技球を下球皿に案内する溢れ球通路を備えている。そして、これらの通路は、両通路の分岐点近傍において、遊技機の前後方向に重なるように配設されている。また、前記溢れ球通路の底部（例えば、後面）は、金属製の区画板によって構成されており、同区画板にアース線を接続することで、前記通路を通過する遊技球に帯電されている静電気を遊技機外部にアースできるようになっている。
【０００４】
さらに、前記溢れ球通路は、遊技機下部前面に配置された下球皿に向かって屈曲して延設されており、前記通路の後方には機構セット盤を介して遊技機の各種制御装置が設置されている。そして、これらの制御装置によって球貸し作動や球の払い出し作動が制御されるようになっている。
【０００５】
【発明が解決しようとする課題】
ところが、上記従来構成では、前記溢れ球通路を通過する遊技球の量が増加した場合に、同遊技球に帯電された静電気を十分にアースできないという問題があった。即ち、大当たり中においては、球払い出し装置による遊技球の払い出しが連続して行われるため、前記溢れ球通路を通過する遊技球の量が大幅に増加し、同遊技球は上下に重なりあった状態で溢れ球通路を通過することになる。従って、溢れ球通路の金属製区画板からなる底部に接するように通過した遊技球はアースされるものの、上側に重なった状態で通過する遊技球は底部に接しないためにアースが十分に行われないという問題があった。
【０００６】
また、前記賞球通路と溢れ球通路とが、遊技機の前後方向に重なって配設されているので、遊技機の前後方向の幅が大きくなるという問題もあった。さらに、前記溢れ球通路の後方には、機構セット盤を介して各種制御装置が設置されているので、アースが十分に行われなかった遊技球の静電気によって各種制御装置にノイズを与えてしまうという問題もあった。従って、例えば１０個の遊技球を払い出すべき払い出しを５個しか行わないなどの個数変化を生じさせる要因ともなっていた。
【０００７】
この発明は、このような従来の技術に存在する問題点に着目してなされたものであり、その目的は、溢れ球通路を通過する遊技球に帯電された静電気のアースを確実に行うことができる弾球遊技機を提供することにある。また、他の目的は、弾球遊技機の前後方向の幅を最小限としてコンパクト化を実現できる弾球遊技機を提供することにある。さらに、他の目的は、ノイズによる各種制御装置の誤作動を抑制することができる弾球遊技機を提供することにある。
【０００８】
【課題を解決するための手段】
上記問題点を解決するために、請求項１に記載の発明は、ゲームの進行に伴って払い出される賞球を上球皿へ誘導する賞球通路と、上球皿の満杯時に前記賞球通路から溢れる溢れ球を下球皿へ誘導する溢れ球通路と、前記賞球通路と前記溢れ球通路との分岐点に配設される球受け部材を備えた弾球遊技機において、前記球受け部材は、前記賞球を前記上球皿に案内する一方、前記上球皿の満杯時に前記賞球通路に積み上げられる賞球を乗り越えさせ、前記溢れ球として前記溢れ球通路側に案内する壁部と、前記壁部の上端より下方に配置されるとともに下勾配となる傾斜面をなし、前記壁部を乗り越えて落下する溢れ球を前記傾斜面に沿って転動させて前記溢れ球通路へ流入させるように案内する溢れ球案内部とを有し、前記溢れ球通路において、前記溢れ球案内部と対向する面には、前記溢れ球案内部の傾斜面を転動して前記溢れ球通路内に放出される溢れ球が接触可能に、導電性を有する導電部材が配設されていることを要旨とする。従って、請求項１に記載の発明によれば、溢れ球案内部で溢れ球通路に案内された遊技球が、同通路を構成する導電部材によってアースされる。
【０００９】
請求項２に記載の発明は、請求項１に記載の弾球遊技機において、前記球受け部材は、導電性を有することを要旨とする。従って、請求項２に記載の発明によれば、請求項１に記載の発明の作用に加えて、壁部を乗り越えて溢れ球案内部に落下する遊技球が、溢れ球通路に流入するように案内されるのと同時にアースされる。
【００１０】
請求項３に記載の発明は、請求項１又は請求項２に記載の弾球遊技機において、前記溢れ球通路の下流側には、前記下球皿に向かって屈曲する筒状部が設けられており、当該筒状部は、導電性を有することを要旨とする。従って、請求項３に記載の発明によれば、請求項１又は請求項２に記載の発明の作用に加えて、溢れ球通路を通過する遊技球が、下球皿に向かって屈曲する筒状部に接触するとともに、アースされる。
【００１１】
請求項４に記載の発明は、請求項１から請求項３のいずれか一項に記載の弾球遊技機において、ゲームの制御に係わる各種制御装置が設置される機構セット盤を機裏側に備え、前記溢れ球案内部は、前方に向かって下勾配となる傾斜面をなし、前記導電部材は、前記溢れ球通路の前面側に配設されており、前記溢れ球通路は、前記機構セット盤の所定の前後方向幅内に形成されると共に、溢れ球通路の主要部分をなす後面を機構セット盤における前記各種制御装置の取付面に対し、前記溢れ球案内部の前後方向の長さに対応する距離だけ前方へ離間させ、前記取付面と前記後面との間に空間を形成したことを要旨とする。従って、請求項４に記載に発明によれば、請求項１から請求項３のいずれか一項に記載の発明の作用に加えて、溢れ球通路の後面が機裏側の機構セット盤に設置された各種制御装置の取付面に対して前方に離間して配設していることにより、遊技球の静電気による各種基盤へのノイズなどの影響が抑制される。
【００１２】
【発明の実施の形態】
以下、本発明を弾球遊技機の一種であるパチンコ遊技機に具体化した一実施形態を図１〜図８に従って説明する。
【００１３】
本実施形態のパチンコ遊技機（以下、遊技機という。）は、その基本的構成の概要として、図１に略示するように、機体の外郭をなす外枠１０の開口前面側に、各種の遊技用構成部材をセットする縦長方形の前枠１１が開閉及び着脱可能に組付けられている。前枠１１の前面側には、機内部の遊技盤１２を透視保護するための窓枠１３と上球皿１４が共に横開き状態で開閉可能に組付け整合されると共に、前枠１１の下部には下球皿１５、打球発射装置１６等が装着されている。また、外枠１０の一側縁には球貸しシステムに利用されるカードユニット部１７が装着されており、同カードユニット部１７のカード挿入口１８にカードが挿入されて前記上球皿１４の上部前面に設けられた球貸し操作部１９が操作されると、図示しないカードリーダの球貸し判読制御条件に従い、前記カードの有効金額内における一定額単位に対して所定個数（例えば１００円に対して２５個）の貸し球を払出し得るようになっている。
【００１４】
一方、図２に示すように前記前枠１１の裏側には各種球通路及び処理部等を備えた機構セット盤２０が着脱可能にセットされており、この機構セット盤２０では前記遊技盤１２の裏側と対応する位置に保護カバー２１が開閉可能にセットされている。また、保護カバー２１の周囲には、球タンク２２が前記保護カバー２１の上方に位置して設けられると共に、同球タンク２２から整流樋２３を介して貯留球が流下供給される区分供給通路部２４が前記保護カバー２１の右方領域に上下方向へ延設されている。
【００１５】
そして、この区分供給通路部２４の下流端には球払出し装置２５が着脱可能にビス等で取着セットされ（図８参照）、この球払出し装置２５から賞球又は貸し球として払出された貯留球が図３に示す賞球通路２６を介して前記上球皿１４へ供給されるようになっている。さらに、前記保護カバー２１の下方、即ち、機構セット盤２０の下部外側には、ゲーム内容を制御する制御装置としての主制御装置２７及びセーフ球検出処理と貯留球排出処理（賞球払出しと貸し球払出し）を制御する制御装置としての払出し制御装置２８がそれぞれ横開き形態で開閉可能に支持されている。また、前記機構セット盤２０には、図示しないアース端子が備えられており、遊技機内で帯電された静電気を外部へアースできるようになっている。
【００１６】
なお、以下の説明において、「右」又は「左」は、特に断らない限り機裏側から見た場合の「右」又は「左」を示すものとする。また、機構セット盤２０については、機裏側から見た場合の手前側を「後面」側とする。
【００１７】
このような本実施形態の遊技機にあって、前記機構セット盤２０は、図３に示すように、その内部において左端から中央付近に亘って、セーフ球を機裏側へ排出するためのセーフ球集合路２９を備え、同セーフ球集合路２９の下流部にはセーフ球を処理するためのセーフ球処理装置３０が設けられている。そして、同処理装置３０内に前記セーフ球が流入すると、セーフ球検出信号を前記主制御装置２７又は払出し制御装置２８に出力するようになっている。
【００１８】
また、前記セーフ球集合路２９の右側に隣接して、前記賞球通路２６が設けられている。同賞球通路２６の最下流部には前記球払出し装置２５から排出された賞球としての遊技球を前記上球皿１４へ供給するための上球皿供給口３１と溢れ球Ｆとなった遊技球を前記下球皿１５へ供給するための下球皿供給口３２が左右方向に並設されている。そして、両供給口３１，３２の分岐点には、各供給口３１，３２に遊技球を案内するための球受け部材３３が配設されている。
【００１９】
同球受け部材３３は、その全体がカーボン等の導電材が配合されたポリプロピレン等の合成樹脂で構成されており、図８に示すようにビス等で前記機構セット盤２０に取着されている。そして、同図に示すように、前記球受け部材３３は、賞球案内面３３ａを挟持するように左右規制壁３３ｂ，３３ｃが立設され、右規制壁３３ｃの右側方には溢れ球案内部としての溢れ球案内面３３ｄを備えた形態で一体形成されている。また、前記賞球案内面３３ａと上球皿供給口３１、溢れ球案内面３３ｄと下球皿供給口３２は、それぞれ略同一幅で形成されており、両案内面３３ａ，３３ｄは、図６及び図７に示すように各供給口３１，３２に向かって下勾配となる斜状で形成されている。
【００２０】
また、両規制壁３３ｂ，３３ｃは、前記上球皿供給口３１と略同一の高さで形成されており、前記球受け部材３３が機構セット盤２０に取着されると右規制壁３３ｃは両供給口３１，３２の中間位置に位置するようになっている（図３参照）。さらに、右規制壁３３ｃは、通常の遊技中においては、払い出された遊技球が賞球案内面３３ａから上球皿供給口３１に案内されるように、両供給口３１，３２を分岐する役割をしている。また、大当たり時においては、払い出された遊技球が上球皿１４で溢れ出すのを防ぐために、賞球案内面３３ａ上に積み上げられた遊技球を、溢れ球Ｆとして右規制壁３３ｃを乗り越えさせ、溢れ球案内面３３ｄから下球皿供給口３２に案内するようになっている。そして、前記下球皿供給口３２の下流側には同供給口３２を通過した溢れ球Ｆを前記下球皿１５へ案内するための溢れ球通路３４が設けられている。
【００２１】
前記溢れ球通路３４は、図５に示すように、機構セット盤２０の後面側から溢れ球案内面３３ｄの前後方向の長さだけ前方へ離間して形成されている。そして、機構セット盤２０の前面側において前記下球皿供給口３２から遊技機の前面中央に装着された下球皿１５に向かって、上下方向に延設されている（図３参照）。従って、図７に示すように機構セット盤２０の後面側には、絶縁空間部Ｓを形成することができる。また、前記溢れ球通路３４の前面側には、図４に示すように同通路３４と略同一形状をなす導電部材としてのアース板金３５（例えば、ＪＩＳで定義されるＳＰＣＣ（冷鍛鋼鈑））が、機構セット盤２０の前面にビス等で取着されている。
【００２２】
また、前記機構セット盤２０の右端に相当する位置であって前記賞球通路２６の右側には、球抜き通路３６が隣接配置されている（図３参照）。同球抜き通路３６の上流部は前記賞球通路２６から分岐形成されており、その分岐部には球通路切替レバー３７が回動可能に設けられている。同球通路切替レバー３７は、前記球払出し装置２５から供給された遊技球を、メンテナンス時などにその回動操作によって球抜き通路３６へ誘導できるようになっており、前記遊技球はその下流部から機裏側へ排出されるようになっている。
【００２３】
そして、前記機構セット盤２０は、図４，図５に示すように前面側の開口面域を導電部材としての蓋板３８により覆蓋されており、同蓋板３８は、ビス等により前記前枠１１の裏側の下部に取着されている（図８参照）。そして、同蓋板３８は、カーボン等の導電材を配合したポリプロピレン等の合成樹脂にて、図４に示すように機構セット盤２０の前面下部の全域を覆うような大きさで形成されている。また、前記蓋板３８は、図７に示すように前記アース板金３５と面接触する板状部３９と、機構セット盤２０の下端部前面と面接触する筒状部４０とで構成されている。
【００２４】
さらに、前記筒状部４０の先端側には、遊技機の下側中央に装着された下球皿１５に向かって屈曲した下球皿連絡口４１が形成されている。そして、前記板状部３９は、前記機構セット盤２０に覆蓋されると、前記セーフ球集合路２９、溢れ球通路３４及び球抜き通路３６の下流側の前面を形成し、前記筒状部４０は、溢れ球通路３４の下流側の後面を形成している。また、蓋板３８には、前記上球皿供給口３１と対向する位置に上球皿連絡口４２が形成されており（図８参照）、図６に示すように上球皿供給口３１において前記賞球案内面３３ａの前端側と接触している。従って、球受け部材３３、アース板金３５、蓋板３８が前記機構セット盤２０に取着されると、これらの各構成要素３３，３５，３８は、連鎖状に接触するようになっている。従って、いずれかの構成要素（例えば、蓋板３８）にアース線の一端を接続すると共にその他端を図示しないアース端子に接続することで、遊技機外部へのアースを簡単に行うことができるようになっている。
【００２５】
また、前記機構セット盤２０の後面側には、図３，図５に示すようにカバー部材４３がビス等で取着されており、同カバー部材４３は、前記賞球通路２６、下球皿供給口３２及び球抜き通路３６の上流部の後面を形成している。そして、前記カバー部材４３の後面には、図５に示すように前記払出し制御装置２８が支持ピン４４を中心として回動可能に設けられている。さらに、前記払出し制御装置２８の左側には、主制御装置２７が支持ピン４５を中心として回動可能に設けられている。そして、前記溢れ球通路３４の後面である筒状部４０と前記各種制御装置は、図７に示すように機構セット盤２０に形成された絶縁空間部Ｓを介在させて前後方向へ離間した配置構成となっている。
【００２６】
次に以上のように構成された本実施形態におけるパチンコ遊技機の作用について説明する。
まず、図６を用いて、払い出された遊技球が上球皿１４へ案内される状態を説明する。
【００２７】
球払い出し装置２５によって払い出された遊技球は、賞球通路２６を通過して球受け部材３３の賞球案内面３３ａに向かって落下する。そして、同案内面３３ａの傾斜によって上球皿供給口３１、上球皿連絡口４２を通過して遊技機前面に装着された上球皿１４に案内される。このとき、遊技球は球受け部材３３及び蓋板３８と接触することによって、遊技球に帯電された静電気が遊技機外部へアースされることになる。また、図示するように右規制壁３３ｃの上面まで遊技球が積み重ならない限り、払い出された遊技球は溢れ球通路３４側に案内されることがない。
【００２８】
次に、図７を用いて大当たり時などにおいて遊技球が溢れ球通路３４に案内される状態を説明する。
図６に示すように右規制壁３３ｃの上面まで遊技球が積み重なると、遊技球が溢れ球Ｆとなって右規制壁３３ｃを乗り越え、図７に示すように溢れ球案内面３３ｄに落下する。そして、落下した溢れ球Ｆは、前記溢れ球案内面３３ｄの傾斜によって、前記溢れ球通路３４の前面側、即ちアース板金３５に向かって放物線を描きながら自由落下していき同アース板金３５に接触する。このとき、アース板金３５により溢れ球Ｆに帯電された静電気が遊技機外部へアースされることになる。さらに、アース板金３５に接触した溢れ球Ｆは、溢れ球通路３４の下流側の後面（筒状部４０）にも接触し、さらにアースされる。そして、溢れ球通路３４を通過した溢れ球Ｆは、下球皿連絡口４１を通過して遊技機前面下部に装着された下球皿１５に案内される。
【００２９】
さて、本実施形態では、上記のように弾球遊技機を構成したことにより、次のような効果を得ることができる。
（１）溢れ球通路３４の前面及び後面側を導電性のアース板金３５及び蓋板３８で構成したことにより、同通路３４の広い面域において溢れ球Ｆに帯電された静電気を遊技機外部へアースすることができる。
【００３０】
（２）上下方向に延設された溢れ球通路３４に向かって、溢れ球案内面３３ｄで案内された溢れ球Ｆが自由落下によって、同通路３４の前面側又は後面側に接触する。従って、大当たり時において連続して遊技球の払出しが行われても、同通路３４を構成するアース板金３５又は蓋板３８に確実に溢れ球Ｆを接触させることができ、溢れ球Ｆに帯電された静電気を遊技機外部へアースすることができる。
【００３１】
（３）賞球案内面３３ａ及び溢れ球案内面３３ｄが各供給口３１，３２に対して斜状で形成されている。従って、遊技球を前記案内面３３ａ，３３ｄ上で滞らせることなく速やかに各供給口３１，３２に案内することができる。また、溢れ球案内面３３ｄにおいては、溢れ球通路３４のアース板金３５又は蓋板３８に確実に接触するようにすることができる。
【００３２】
（４）球受け部材３３を導電材が配合された合成樹脂により形成しているので、払い出された遊技球が同球受け部材３３に接触した際に、帯電された静電気を遊技機外部へアースすることができる。また、球受け部材３３の右規制壁３３ｃにより、上球皿１４が満杯になるまで遊技球を上球皿１４へ確実に案内することができる。さらに、球受け部材３３が合成樹脂にて形成されているので、安価に製造することができる。
【００３３】
（５）機構セット盤２０と蓋板３８の隙間にアース板金３５を配置したことにより、遊技球のアースを行うことが出来ると共に、その隙間にピアノ線などを挿入して遊技盤１２上の各種入賞口を開放状態にするなどの不正行為を防止することができる。
【００３４】
（６）溢れ球通路３４が機裏側に配設した各種制御装置と絶縁空間部Ｓを介在させた前後方向へ離間した配置構成となっているので、同通路３４を通過する溢れ球Ｆによって各種制御装置２７，２８に対してノイズなどの影響を抑制することができる。従って、各種制御装置２７，２８の誤作動を抑制することができる。
【００３５】
（７）賞球通路２６と溢れ球通路３４とを左右に並設したので、遊技機の前後方向の幅を小さくすることができ、遊技機のコンパクト化を図ることができる。（８）球受け部材３３、アース板金３５及び蓋板３８が、機構セット盤２０に取着されると、それぞれ連鎖状に接触するようになっている。従って、いずれかの部材にアース線を設置することで遊技機外部へのアースを行うことができる。従って、アース線の本数を減らすことができる。
【００３６】
なお。本実施形態は、以下のように変更してもよい。
・本実施形態においては、溢れ球案内面３３ｄを球受け部材３３に一体形成しているが、別体として機構セット盤２０に設置してもよい。このように構成しても前記実施形態と同様の効果を奏する。
【００３７】
・本実施形態においては、溢れ球案内面３３ｄを面で形成しているが、溝形状や筒形状など、溢れ球通路３４に溢れ球Ｆを案内できれば必ずしも面でなくてもよい。このように構成しても前記実施形態と同様の効果を奏する。
【００３８】
・本実施形態においては、球受け部材３３を別体として形成し、機構セット盤２０にビス等で取着しているが、機構セット盤２０と一体に形成してもよい。このように構成しても前記実施形態と同様の効果を奏する。
【００３９】
・本実施形態においては、溢れ球通路３４の前面を、略同一形状のアース板金３５で形成しているが、溢れ球案内面３３ｄで案内された溢れ球Ｆが前記通路３４に接触する部分のみにアース板金３５を設置してもよい。このように構成しても前記実施形態と同様の効果を奏する。
【００４０】
・本実施形態においては、溢れ球通路３４の前面側をアース板金３５と蓋板３８で構成しているが、導電性を有する蓋板３８のみで構成してもよい。このように構成すればアース板金３５が不要になり、遊技機のコストを下げることができる。
【００４１】
・本実施形態においては、球受け部材３３及び蓋板３８をカーボンを配合したポリプロピレンで形成したが、合成樹脂の材質及び配合する導電材の材質は上記実施形態に限定されるものではない。このように構成しても前記実施形態と同様の効果を奏する。
【００４２】
・本実施形態においては、パチンコ遊技機における通路について説明したが、パチンコ遊技機以外の弾球遊技機（例えば、アレンジボール遊技機や雀球機）に上記実施形態と同様に構成してもよい。他の遊技機においても、前記実施形態と同様の効果を奏する。
【００４３】
次に、上記実施形態及び別例から把握できる請求項に記載した発明以外の技術的思想について、それらの効果と共に以下に記載する。
（イ）前記賞球通路（２６）と溢れ球通路（３４）との分岐点に導電性を有する球受け部材（３３）を設けた弾球遊技機。このように構成すれば、球払い出し装置２５によって払い出された遊技球を球受け部材３３との接触によって遊技機外部へアースすることができる。
【００４４】
（ロ）前記溢れ球通路（３４）を構成する導電部材（３５，３８）と前記球受け部材（３３）が、機構セット盤（２０）に取着された際に連鎖状に接触している弾球遊技機。このように構成すれば、前記導電部材または球受け部材３３のいずれかにアース線を設置すれば遊技機外部へアースが可能となる。さらに、アース線の本数を減らすこともできる。
【００４５】
【発明の効果】
請求項１に記載の発明によれば、各種通路を通過する遊技球に帯電された静電気のアースを確実に行うことができる。
【００４６】
請求項２に記載の発明によれば、請求項１に記載の発明の効果に加えて、溢れ球案内部によって、遊技球を溢れ球通路に流入させるように案内するのと同時に、遊技球に帯電された静電気のアースを行うことができる。
【００４７】
請求項３に記載の発明によれば、請求項１又は請求項２に記載の発明の効果に加えて、溢れ球通路の下流側に設けられた筒状部において、遊技球に帯電された静電気のアースを行うことができる。
請求項４に記載の発明によれば、請求項１から請求項３のいずれか一項に記載の発明の効果に加えて、ノイズによる各種制御装置の誤作動を抑制することができる。
【図面の簡単な説明】
【図１】  本発明における一実施形態に係るパチンコ遊技機の概略を示す正面図。
【図２】  同じく、パチンコ遊技機の概略を示す背面図。
【図３】  同じく、機構セット盤の前面を示す正面図。
【図４】  同じく、機構セット盤の後面を示す正面図。
【図５】  同じく、各種制御装置が機構セット盤に設置された状態を示す平断面図。
【図６】  同じく、図３のＡ−Ａ線における側断面図。
【図７】  同じく、図３のＢ−Ｂ線における側断面図。
【図８】  同じく、機構セット盤への取着状態を示す分解斜視図。
【符号の説明】
Ｆ…溢れ球、２０…機構セット盤、２６…賞球通路、２７…制御装置としての主制御装置、２８…制御装置としての払出し制御装置、３３ｄ…溢れ球案内部としての溢れ球案内面、３４…溢れ球通路、３５…導電部材としてのアース板金、３８…導電部材としての蓋板、４０…後面としての筒状部。
【図１】
0004195758.tif 000002
【図２】
0004195758.tif 000003
【図３】
0004195758.tif 000004
【図４】
0004195758.tif 000005
【図５】
0004195758.tif 000006
【図６】
0004195758.tif 000007
【図７】
0004195758.tif 000008
【図８】
0004195758.tif 000009